【手続補正書】
【提出日】平成28年5月31日(2016.5.31)
【手続補正１】
【補正対象書類名】特許請求の範囲
【補正対象項目名】全文
【補正方法】変更
【補正の内容】
【特許請求の範囲】
【請求項１】
情報処理装置が備えるデバイスドライバから送信される制御コマンドにしたがって画像のスキャン処理を実行する画像読み取り装置であって、
前記デバイスドライバからスキャンコマンドを受信する受信手段と、
前記画像読み取り装置において認証機能が有効である場合に、前記スキャンコマンドの制御プロトコルが前記認証機能による認証のための認証情報を送信可能な制御プロトコルであるかを判定する第１の判定手段と、
前記デバイスドライバが、前記画像読み取り装置から受信したスキャン処理の要求にしたがって前記スキャンコマンドを送信したかを判定する第２の判定手段と、
前記第１の判定手段によって前記スキャンコマンドの制御プロトコルが前記認証情報を送信可能な制御プロトコルでないと判定され、前記第２の判定手段によって前記デバイスドライバが前記画像読み取り装置から受信したスキャン処理の要求にしたがって前記スキャンコマンドを送信していないと判定されたことに基づいて、前記認証情報の入力画面を表示する表示手段と、
前記入力画面に対する操作にしたがって入力された前記認証情報を用いて認証処理を行い、認証が成功した場合に、前記スキャンコマンドにしたがって画像のスキャン処理を実行する実行手段とを備える
ことを特徴とする画像読み取り装置。
【請求項２】
前記実行手段は、前記第１の判定手段によって、前記スキャンコマンドの制御プロトコルが前記認証情報を送信可能な制御プロトコルでないと判定され、前記第２の判定手段によって、前記デバイスドライバが、前記画像読み取り装置から受信したスキャン処理の要求にしたがって前記スキャンコマンドを送信したと判定されたことに基づいて、前記画像読み取り装置において認証済みの認証情報を用いて認証処理を実行し、認証が成功した場合に、前記スキャンコマンドにしたがって画像のスキャン処理を実行する
ことを特徴とする請求項１に記載の画像読み取り装置。
【請求項３】
情報処理装置の識別情報と認証情報との対応情報を記憶手段に登録する登録手段と、
前記スキャンコマンドの送信元の情報処理装置の識別情報を取得し、取得された識別情報に対応する認証情報が前記記憶手段に登録されているかを判定する第３の判定手段とを備え、
前記実行手段は、前記第１の判定手段によって、前記スキャンコマンドの制御プロトコルが前記認証情報を送信可能な制御プロトコルでないと判定され、前記第３の判定手段によって、前記取得された識別情報に対応する認証情報が前記記憶手段に登録されていると判定されたことに基づいて、前記取得された識別情報に対応する認証情報を用いて認証処理を実行し、認証が成功した場合に、前記スキャンコマンドにしたがって画像のスキャン処理を実行する
ことを特徴とする請求項１または請求項２に記載の画像読み取り装置。
【請求項４】
前記入力画面上での操作にしたがって入力された認証情報を用いた前記認証処理によって認証が失敗した場合に、予め決められた時間が経過したかを判定し、予め決められた時間が経過したと判定した場合に、前記スキャンコマンドにしたがう画像のスキャン処理を中止する中止手段を備える
ことを特徴とする請求項１乃至３のいずれか１項に記載の画像読み取り装置。
【請求項５】
前記実行手段は、前記スキャンコマンドの制御プロトコルが前記認証情報を送信可能な制御プロトコルであると判定された場合に、前記デバイスドライバに対して認証情報の送信を要求し、該要求に応じた前記デバイスドライバから受信した認証情報を用いて認証処理を実行し、認証が成功した場合に、前記スキャンコマンドにしたがって画像のスキャン処理を実行する
ことを特徴とする請求項１乃至４のいずれか１項に記載の画像読み取り装置。
【請求項６】
前記第１の判定手段は、前記スキャンコマンドの制御プロトコルが前記画像読み取り装置に依存する制御プロトコルであるか、前記画像読み取り装置に依存しない制御プロトコルであるかを判定する
ことを特徴とする請求項１乃至５のいずれか１項に記載の画像読み取り装置。
【請求項７】
前記画像読み取り装置に依存しない制御プロトコルは、ＷＳＤ(Web Services On Devices) Ｓｃａｎプロトコルである
ことを特徴とする請求項６に記載の画像読み取り装置。
【請求項８】
前記実行手段により実行したスキャン処理によって得られた画像データを前記情報処理装置に送信する送信手段をさらに備える
ことを特徴とする請求項１乃至７のいずれか１項に記載の画像読み取り装置。
【請求項９】
前記認証機能を有効にするか否かを設定する設定手段をさらに備える
ことを特徴とする請求項１乃至８のいずれか１項に記載の画像読み取り装置。
【請求項１０】
ユーザによるスキャン実行指示を受け付ける受付手段と、
前記受付手段によりスキャン実行指示を受け付けたことに基づいて、スキャン処理の要求を前記情報処理装置に送信する要求手段と、をさらに備え、
前記第２の判定手段は、前記スキャンコマンドの送信元のアドレス情報が、前記スキャン処理の要求の送信先のアドレス情報と一致しているか否かを判定する
ことを特徴とする請求項１乃至９のいずれか１項に記載の画像読み取り装置。
【請求項１１】
情報処理装置と、前記情報処理装置からの制御コマンドにしたがって画像のスキャン処理を実行する画像読み取り装置とを備えるシステムであって、
前記情報処理装置は、スキャンコマンドを前記画像読み取り装置に送信するデバイスドライバを備え、
前記画像読み取り装置は、
前記デバイスドライバから前記スキャンコマンドを受信する受信手段と、
前記画像読み取り装置において認証機能が有効である場合に、前記スキャンコマンドの制御プロトコルが前記認証機能による認証のための認証情報を送信可能な制御プロトコルであるかを判定する第１の判定手段と、
前記デバイスドライバが、前記画像読み取り装置から受信したスキャン処理の要求にしたがって前記スキャンコマンドを送信したかを判定する第２の判定手段と、
前記第１の判定手段によって前記スキャンコマンドの制御プロトコルが前記認証情報を送信可能な制御プロトコルでないと判定され、前記第２の判定手段によって前記デバイスドライバが前記画像読み取り装置から受信したスキャン処理の要求にしたがって前記スキャンコマンドを送信していないと判定されたことに基づいて、前記認証情報の入力画面を表示する表示手段と、
前記入力画面に対する操作にしたがって入力された前記認証情報を用いて認証処理を行い、認証が成功した場合に、前記スキャンコマンドにしたがって画像のスキャン処理を実行する実行手段とを備える
ことを特徴とする情報処理システム。
【請求項１２】
前記情報処理装置はさらに、
前記画像読み取り装置に認証情報を送信して認証処理を指示する認証手段と、
前記画像読み取り装置に対して、前記認証手段の登録を要求する登録要求手段とを備え、
前記画像読み取り装置はさらに、
前記登録要求手段からの要求を受けて前記認証手段を登録する登録手段と、
前記スキャンコマンドの制御プロトコルが前記認証情報を送信可能な制御プロトコルでないと判定された場合に、当該スキャンコマンドの送信元の情報処理装置が備える前記認証手段が登録されているときは、前記情報処理装置の前記認証手段に対して前記認証処理を指示する指示手段をさらに備え、
前記実行手段は、前記指示手段からの要求に応じた認証手段により送信された前記認証情報を用いて前記認証処理を行ない、
前記スキャンコマンドの送信元の情報処理装置が備える前記認証手段が登録されていない場合は、前記表示手段が前記認証情報の入力画面を当該画像読み取り装置の画面上に表示する
ことを特徴とする請求項１１に記載の情報処理システム。
【請求項１３】
情報処理装置が備えるデバイスドライバから送信される制御コマンドにしたがって画像のスキャン処理を実行する画像読み取り装置の制御方法であって、
前記デバイスドライバからスキャンコマンドを受信する工程と、
前記画像読み取り装置において認証機能が有効である場合に、前記スキャンコマンドの制御プロトコルが前記認証機能による認証のための認証情報を送信可能な制御プロトコルであるかを判定する工程と、
前記デバイスドライバが、前記画像読み取り装置から受信したスキャン処理の要求にしたがって前記スキャンコマンドを送信したかを判定する工程と、
前記スキャンコマンドの制御プロトコルが前記認証情報を送信可能な制御プロトコルでないと判定され、前記デバイスドライバが前記画像読み取り装置から受信したスキャン処理の要求にしたがって前記スキャンコマンドを送信していないと判定されたことに基づいて、前記認証情報の入力画面を表示する工程と、
前記入力画面に対する操作にしたがって入力された前記認証情報を用いて認証処理を行い、認証が成功した場合に、前記スキャンコマンドにしたがって画像のスキャン処理を実行する工程とを有する
ことを特徴とする制御方法。
【請求項１４】
請求項１３に記載の制御方法をコンピュータに実行させることを特徴とするコンピュータプログラム。
【手続補正２】
【補正対象書類名】明細書
【補正対象項目名】発明の名称
【補正方法】変更
【補正の内容】
【発明の名称】画像読み取り装置、情報処理システム、制御方法およびコンピュータプログラム
【手続補正３】
【補正対象書類名】明細書
【補正対象項目名】００１０
【補正方法】変更
【補正の内容】
【００１０】
本実施形態の画像形成装置は、情報処理装置が備えるデバイスドライバから送信される制御コマンドにしたがって画像のスキャン処理を実行する画像読み取り装置である。前記画像形成装置は、前記デバイスドライバからスキャンコマンドを受信する受信手段と、前記画像読み取り装置において認証機能が有効である場合に、前記スキャンコマンドの制御プロトコルが前記認証機能による認証のための認証情報を送信可能な制御プロトコルであるかを判定する第１の判定手段と、前記デバイスドライバが、前記画像読み取り装置から受信したスキャン処理の要求にしたがって前記スキャンコマンドを送信したかを判定する第２の判定手段と、前記第１の判定手段によって前記スキャンコマンドの制御プロトコルが前記認証情報を送信可能な制御プロトコルでないと判定され、前記第２の判定手段によって前記デバイスドライバが前記画像読み取り装置から受信したスキャン処理の要求にしたがって前記スキャンコマンドを送信していないと判定されたことに基づいて、前記認証情報の入力画面を表示する表示手段と、前記入力画面に対する操作にしたがって入力された前記認証情報を用いて認証処理を行い、認証が成功した場合に、前記スキャンコマンドにしたがって画像のスキャン処理を実行する実行手段とを備える。